(57)【要約】【課題】  レンズ交換が可能なシステム一眼レフカメラにおいて、中間リングを使用する際に、撮影や焦点調節の使い勝手を改善することが可能な撮像装置を提供すること。【解決手段】  カメラボディ３０と、カメラボディに着脱可能な交換レンズ１０とを具備するカメラシステムにおいて、交換レンズ１０との組み合わせにより撮影倍率を変更可能な中間リング２０が、交換レンズ１０とカメラボディ３０の間に着脱自在に設けられている。この交換レンズ１０は、交換レンズ１０と中間リング２０を組み合わせた際の光学特性によって決定される焦点調節不能レンズ位置データを記憶する記憶部１６及びレンズ位置を検出するレンズ駆動機構１３を有する。カメラボディ３０は、レンズ駆動機構１３の出力と記憶部１６に記憶されている焦点調節不能レンズ位置データとに基づいて、撮影動作を禁止するカメラＣＰＵ３６を有する。【選択図】  図１
2007017622.tif 000002
【特許請求の範囲】
【請求項１】
カメラボディと、カメラボディに着脱可能な交換レンズとを具備するカメラシステムにおいて、
上記カメラシステムは、上記交換レンズとの組み合わせにより撮影倍率を変更可能な中間リングを、上記交換レンズと上記カメラボディの間に着脱自在に設け、
上記交換レンズは、上記交換レンズと上記中間リングを組み合わせた際の光学特性によって決定される焦点調節不能レンズ位置データを記憶する記憶手段及び上記交換レンズのレンズ位置を検出するレンズ位置検出手段を有し、
上記カメラボディは、上記レンズ位置検出手段の出力と上記記憶手段に記憶されている上記焦点調節不能レンズ位置データとに基づいて、撮影動作を禁止する制御手段を有することを特徴とするカメラシステム。
【請求項２】
上記カメラシステムは更に、告知手段を有し、
上記制御手段は、撮影動作を禁止する際には撮影動作禁止を告知するように上記告知手段を制御することを特徴とする請求項１のカメラシステム。
【請求項３】
カメラボディと、カメラボディに着脱可能な交換レンズとを含み、さらに上記交換レンズと上記カメラボディの間に第１または第２の中間リングを装着可能なカメラシステムにおいて、
上記交換レンズと上記第１の中間リングとを組み合わせた光学特性によって決定される第１の制御用データを記憶している第１の記憶手段と、
上記交換レンズと上記第２の中間リングとを組み合わせた光学特性によって決定される第２の制御用データを記憶している第２の記憶手段と、
上記第１の中間リングが装着されている場合には、上記第１の制御用データを用いて動作を制御し、上記第２の中間リングが装着されている場合には、上記第２の制御用データを用いて動作を制御する制御手段を有するを具備していることを特徴とするカメラシステム。
【請求項４】
上記第１の記憶手段は上記交換レンズに設けられ、上記第２の記憶手段は上記第２の中間リングに設けられていることを特徴とする請求項３に記載のカメラシステム。
【請求項５】
上記カメラシステムはさらに、上記交換レンズまたは、上記交換レンズと上記中間リングを組み合わせた際に焦点調節するためのレンズを有し、上記制御用データは、上記交換レンズと上記中間リングを組み合わせた際の焦点調節不能なレンズ位置を示すデータであることを特徴とする請求項３または４に記載のカメラシステム。
【請求項６】
上記カメラシステムは更に、上記交換レンズのまたは、上記交換レンズと上記中間リングを組み合わせた際の焦点を調節するためのレンズと、上記交換レンズの、または上記交換レンズと上記中間リングを組み合わせた際のピントずれ量を検出するピントずれ量検出手段とを有し、
上記制御用データは、上記交換レンズと上記中間リングを組み合わせた際の上記ピントずれ量をレンズ移動量に変換するデータであることを特徴とする請求項３または４に記載のカメラシステム。
【請求項７】
レンズ交換式カメラにおいて、
上記レンズ交換式カメラと交換レンズとの間に、上記交換レンズとの組み合わせにより撮影倍率を変更可能な中間リングを着脱可能に設け、
装着された上記交換レンズから、上記交換レンズの光学特性によって決定される第１の制御用データと、上記交換レンズと上記中間リングとを組み合わせた光学特性によって決定される第２の制御用データとを読み出す読出手段と、
上記中間リングが装着されているかを判定する判定手段と、
上記中間リングが装着されていない場合には上記第１の制御用データを選択して動作を制御し、上記中間リングが装着されている場合には上記第２の制御用データを選択して動作を制御する制御手段と、を具備していることを特徴とするレンズ交換式カメラ。
【請求項８】
上記判定手段は上記中間アダプタが第１の種類の中間リングであるか、第２の種類の中間リングであるかを判定する手段を含み、上記補正演算手段は上記第２の種類の中間リングであると判定された場合に、上記第２の制御用データを上記交換レンズと上記第２の中間リングの組み合わせに適合するように変換することを特徴とする請求項７に記載のレンズ交換式カメラ。
【発明の詳細な説明】
【技術分野】
【０００１】
本発明は、レンズ交換が可能なシステム一眼レフカメラ等の撮像装置に関する。
【背景技術】
【０００２】
レンズ交換が可能なシステム一眼レフカメラが知られている(特許文献１参照)。
【特許文献１】特開平９−１８９８４２号公報
【発明の開示】
【発明が解決しようとする課題】
【０００３】
この特許文献１記載のレンズ交換が可能なシステム一眼レフカメラには、中間リングを含むエクステンダーを装着して使用する際にエクステンダーの種類を判別し、撮影レンズとエクステンダーの組み合わせによる合成ＦＮＯを計算し、焦点検出光束がケラレない焦点検出可能なレンズ位置を求め、焦点検出可能なレンズ位置であれば自動焦点調節動作を行い、そうでない場合は自動焦点調節動作を禁止することが開示されている。
【０００４】
ところで、撮影レンズと中間リング（接写リング）の組み合わせによっては、光学的に非常に近距離のみしかピント合わせができない場合、たとえば撮影レンズ鏡筒内にのみしかピントが合わせられない場合がある。
【０００５】
図１２は交換レンズ３００ａ、中間リング３０１をカメラ本体３０２に装着した時に、所定の被写体に合焦している状態を示す図である。
【０００６】
図１２（Ａ）は交換レンズ３００ａの鏡枠の先端から合焦している被写体３０３までの距離ＷＤ（一般にはワーキングディスタンスと呼ばれる）が正となっている例を示している（ただし、交換レンズ３００ａの鏡枠の先端から撮像面３０４側を負とする）。
【０００７】
一方、図１２（Ｂ）は別の交換レンズ３００ｂの場合を示しており、交換レンズ３００ｂの鏡枠の先端から合焦している被写体３０３までの距離ＷＤが負となっており、交換レンズ３００ｂの鏡筒内にピントが合っているので、焦点調節を行うことはできない。
【０００８】
上記特許文献１は自動焦点調節動作を禁止しているが、撮影動作は禁止していないので、このような状況においても、たとえば手動焦点調節モードでの撮影が実行されてしまう。その結果、撮影者に違和感を与えるという問題がある。
【０００９】
また、上記特許文献１は、焦点検出光束がケラレないことのみに注目しており、上記問題については対応できない。
【００１０】
さらに、上記特許文献１は、撮影レンズとエクステンダーの組み合わせによる合成ＦＮＯを計算し、焦点検出光束がけられない焦点検出可能なレンズ位置を求めるという複雑な計算処理を行うため、回路規模が増大しコストアップを招くという問題がある。
【００１１】
本発明は上記の点に鑑みてなされたもので、その目的は、レンズ交換が可能なシステム一眼レフカメラにおいて、中間リングを使用する際に、撮影や焦点調節の使い勝手を改善することが可能な撮像装置を提供することにある。
【００１２】
さらに、本発明の目的は、回路規模が小さく低コストな構成において簡単な処理により、焦点調節が不能か否かの判別を行うことが可能な焦点調節装置を含む撮像装置を提供することにある。
【課題を解決するための手段】
【００１３】
請求項１記載の発明は、カメラボディと、カメラボディに着脱可能な交換レンズとを具備するカメラシステムにおいて、上記カメラシステムは、上記交換レンズとの組み合わせにより撮影倍率を変更可能な中間リングを、上記交換レンズと上記カメラボディの間に着脱自在に設け、上記交換レンズは、上記交換レンズと上記中間リングを組み合わせた際の光学特性によって決定される焦点調節不能レンズ位置データを記憶する記憶手段及びレンズ位置を検出するレンズ位置検出手段を有し、上記カメラボディは、上記レンズ位置検出手段の出力と上記記憶手段に記憶されている上記焦点調節不能レンズ位置データとに基づいて、撮影動作を禁止する制御手段を有することを特徴とする。
【００１４】
請求項２記載の発明は、請求項１のカメラシステムは更に、告知手段を有し、上記制御手段は、撮影動作を禁止する際には撮影動作禁止を告知するように上記告知手段を制御することを特徴とする。
【００１５】
請求項３記載の発明は、カメラボディと、カメラボディに着脱可能な交換レンズとを含み、さらに上記交換レンズと上記カメラボディの間に第１または第２の中間リングを装着可能なカメラシステムにおいて、上記交換レンズと上記第１の中間リングとを組み合わせた光学特性によって決定される第１の制御用データを記憶している第１の記憶手段と、上記交換レンズと上記第２の中間リングとを組み合わせた光学特性によって決定される第２の制御用データを記憶している第２の記憶手段と、上記第１の中間リングが装着されている場合には、上記第１の制御用データを用いて動作を制御し、上記第２の中間リングが装着されている場合には、上記第２の制御用データを用いて動作を制御する制御手段を有するを具備していることを特徴とする。
【００１６】
請求項４記載の発明は、請求項３に第１の記憶手段は上記交換レンズに設けられ、上記第２の記憶手段は上記第２の中間リングに設けられていることを特徴とする。
【００１７】
請求項５記載の発明は、請求項３または４に記載のカメラシステムは更に、上記交換レンズまたは、上記交換レンズと上記中間リングを組み合わせた際に焦点調節するためのレンズを有し、上記制御用データは、上記交換レンズと上記中間リングを組み合わせた際の焦点調節不能なレンズ位置を示すデータであることを特徴とする。
【００１８】
請求項６記載の発明は、請求項３または４に記載のカメラシステムは更に、上記交換レンズのまたは、上記交換レンズと上記中間リングを組み合わせた際の焦点を調節するためのレンズと、上記交換レンズの、または上記交換レンズと上記中間リングを組み合わせた際のピントずれ量を検出するピントずれ量検出手段とを有し、上記制御用データは、上記交換レンズと上記中間リングを組み合わせた際の上記ピントずれ量をレンズ移動量に変換するデータであることを特徴とする。
【００１９】
請求項７記載の発明は、レンズ交換式カメラにおいて、上記レンズ交換式カメラと交換レンズとの間に、上記交換レンズとの組み合わせにより撮影倍率を変更可能な中間リングを着脱可能に設け、装着された上記交換レンズから、上記交換レンズの光学特性によって決定される第１の制御用データと、上記交換レンズと上記中間リングとを組み合わせた光学特性によって決定される第２の制御用データとを読み出す読出手段と、上記中間リングが装着されているかを判定する判定手段と、上記中間リングが装着されていない場合には上記第１の制御用データを選択して動作を制御し、上記中間リングが装着されている場合には上記第２の制御用データを選択して動作を制御する制御手段と、を具備していることを特徴とする。
【００２０】
請求項８記載の発明は、請求項７に記載の判定手段は上記中間アダプタが第１の種類の中間リングであるか、第２の種類の中間リングであるかを判定する手段を含み、上記補正演算手段は上記第２の種類の中間リングであると判定された場合に、上記第２の制御用データを上記交換レンズと上記第２の中間リングの組み合わせに適合するように変換することを特徴とする。
【発明の効果】
【００２１】
本発明によれば、レンズ交換が可能なシステム一眼レフカメラにおいて、中間リングを使用する際に、撮影や焦点調節の使い勝手を改善することが可能な撮像装置を提供するができる。
【発明を実施するための最良の形態】
【００２２】
図１は、カメラシステムの標準的な構成を示すブロック図である。
【００２３】
カメラシステムは、交換レンズユニット１０、中間リング２０及びカメラボディユニット３０を備えている。
【００２４】
そして、交換レンズユニット１０、中間リング２０及びカメラボディユニット３０は、マウント機構（不図示）により互いに着脱可能に構成されている。
【００２５】
交換レンズユニット１０は、撮影レンズ１１ａ、１１ｂ、絞り１２、レンズ位置検出手段を含むレンズ駆動機構１３、絞り駆動機構１４、レンズＣＰＵ１５及びデータ記憶部１６を備えている。
【００２６】
レンズＣＰＵ１５は、交換レンズユニット１０を統括的に制御する。
【００２７】
即ち、レンズ駆動機構１３に制御信号を出力して、焦点調節動作のために撮影レンズ１１ａ、１１ｂの位置を前後に移動する。レンズ駆動機構１３は、フォーカシングに関わるレンズ位置情報を取得して焦点調節動作に使用する。またレンズ位置情報を要求に応じてカメラＣＰＵ３６に送信する。
【００２８】
また、絞り駆動機構１４に制御信号を出力して露出制御のために絞り１２の絞り込み位置を変更する。
【００２９】
更にレンズＣＰＵ１５は、カメラボディユニット３０との信号授受により種々の情報を受信する。
【００３０】
データ記憶部１６は、レンズ固有の情報（例えば、レンズ焦点距離、開放Ｆ値、ピントずれ量−レンズ移動量変換係数データ等）を記憶する。
【００３１】
中間リング２０は、中間リングＣＰＵ２２及び中間リング記憶部２３を備えている。
【００３２】
中間リング記憶部２３は、中間リング固有の情報（例えば、中間リング種類、焦点調節不能レンズ位置データ、ＡＦ禁止レンズ位置データ、ピントずれ量−レンズ移動量変換係数データ等）を記憶する。
【００３３】
中間リングＣＰＵ２２は、カメラボディユニット３０との間で信号授受を行って、撮影可能判断・ＡＦ可能判断等の処理に使用する中間リング固有の情報を送信する。
【００３４】
カメラボディユニット３０には、クイックリターンミラー３２、シャッタ３３、撮像素子３４、画像処理回路３５、カメラＣＰＵ３６、画像モニタ３７、画像メモリ３８、カメラ記憶部４０、ペンタプリズム４１、測光回路４２、ＡＦレンズ４３、サブミラー４４、ＡＦセンサ４５、測距部４６、シャッタ駆動機構４７及びミラー駆動機構４８が設けられている。
【００３５】
クイックリターンミラー３２はその中央部がハーフミラーとなっており、非撮影動作時において被写体像をペンタプリズム４１とＡＦセンサ４５に導く。
【００３６】
撮像素子３４は、例えばＣＣＤを用いて被写体の光像を電気信号である画像データに変換する。
【００３７】
カメラＣＰＵ３６は、カメラシステムの動作を統括的に制御すると共に、画像処理回路３５を制御して画像データに種々の画像処理を施す。
【００３８】
カメラ記憶部４０には、カメラＣＰＵ３６の動作に必要な情報が格納されている。
【００３９】
また、カメラＣＰＵ３６には、交換レンズユニット１０内のレンズＣＰＵ１５、中間リング２０内の中間リングＣＰＵ２２との通信により撮影レンズ１１ａ、１１ｂのレンズ特性情報、撮影可能判断・ＡＦ可能判断等に使用する中間リング固有の情報を獲得する。
【００４０】
情報授受のための信号ラインには「ＡＳＥＬ」、「ＬＳＥＬ」「ＤＡＴＡ」、「ＣＯＮＴ」が設けられている。ここで、「ＡＳＥＬ」は中間リング２０との情報通信を選択するライン、「ＬＳＥＬ」は交換レンズユニット１０との情報通信を選択するライン、「ＤＡＴＡ」はレンズ固有情報等を通信するための共通ライン、「ＣＯＮＴ」は、制御命令（例えば、レンズ情報要求、絞り駆動指令等）を通信するためのコントロール信号ラインである。
【００４１】
画像モニタ３７は、液晶モニタなどであり画像データを表示する。画像メモリ３８は、スマートメディア（登録商標）などの記録媒体である画像データを記録する。
【００４２】
測光回路４２は、ペンタプリズム４１からの被写体光像の一部を光電変換素子（不図示）によって受光して被写体の輝度を測定する。
【００４３】
カメラＣＰＵ３６はこの測定データに基づいて露出条件を算出する。
【００４４】
ＡＦセンサ４５は、サブミラー４４によって２つに分割された被写体像をＡＦレンズ４３を介して受光する。
【００４５】
測距部４６は、ＡＦセンサ４５の出力に基づいて合焦のためのレンズ駆動量を算出する。このＡＦ測距機構は、いわゆるＴＴＬ位相差方式によるもので、焦点検出に用いられる光束は、撮影レンズの絞りを例えばＦ８程度に絞った場合に相当する光束である。
【００４６】
続いて、カメラシステムの動作について説明する。
【００４７】
撮影者が、カメラボディユニット３０のレリーズボタン（不図示）を一段階押し込むと、カメラＣＰＵ３６は、測光回路４２で測定して被写体輝度のデータに基づいて適正な露出を得るための絞り値を計算し、その結果をレンズＣＰＵ１５に送信する。レンズＣＰＵ１５は、所望の絞りになるように絞り駆動機構１４に信号を出力する。
【００４８】
また、カメラＣＰＵ３６は、測距部４６の検出結果と、予め受信した交換レンズユニット１０のレンズ情報、中間リング２０のレンズ情報に基づいて、合焦のための撮影レンズ１１ａ、１１ｂの駆動量を算出してレンズＣＰＵ１５に送信する。
【００４９】
レンズＣＰＵ１５は、この駆動量に基づいて、撮影レンズ１１ａ、１１ｂを合焦位置に移動させるための制御信号をレンズ駆動機構１３に出力する。
【００５０】
撮影者が、カメラボディユニット３０のレリーズボタン（不図示）を二段階押し込むと、カメラＣＰＵ３６はクイックリターンミラー３２を撮影光路外に退避させた後にシャッタ３３を動作させて被写体の光像を撮像素子３４に導き、撮像素子３４から得られる画像データに画像処理を施す。
【００５１】
この際、カメラＣＰＵ３６は、予め受信した交換レンズユニット１０のレンズ情報、中間リング２０のレンズ情報に基づいて、色補正等の処理を施す。
【００５２】
本発明に係るカメラシステムは、図１に示す構成（上述の交換レンズユニット１０、中間リング２０及びカメラボディユニット３０を含む構成）を含んで、以下に示す２つのバリエーションとして構成することができる。
【００５３】
図２は、本発明に係るカメラシステムの第１のバリエーションの構成を示す図である。
【００５４】
第１のバリエーションでは、カメラシステムは交換レンズユニット１０、Ａ型中間リング２０ａ及びカメラボディユニット３０で構成される。
【００５５】
ここで、Ａ型中間リング２０ａは、中間リングの初期バージョンを意味する。
【００５６】
データ記憶部１６には、制御データとしてＡ型中間リング２０ａが有る場合の焦点調節不能レンズ位置データ１６ａ、ピントずれ量−レンズ移動量変換係数データ１６ｂが格納されている。また中間リング２０ａがない場合のピントずれ量−レンズ移動量変換係数データも格納されている。
【００５７】
Ａ型中間リング２０ａには、中間リングＣＰＵ２２が設けられているが、中間リング記憶部２３は特に設ける必要は無い。もし、設けられていても焦点調節不能レンズ位置データ、ピントずれ量−レンズ移動量変換係数データに関するデータは記憶されていない。
【００５８】
そして、カメラＣＰＵ３６は、測距部４６からの例えば、ＴＴＬ位相差方式によるピントずれ量に対して、ピントずれ量−レンズ移動量変換数データを用いて撮影レンズの焦点調節駆動量を求め、レンズＣＰＵ１５に送信する。
【００５９】
また、焦点調節不能レンズ位置データとレンズ位置を比較して、焦点調節不能レンズ位置にレンズが位置する場合は、撮影動作を禁止する。
【００６０】
図３は、本発明に係るカメラシステムの第２のバリエーションの構成を示す図である。
【００６１】
第２のバリエーションでは、カメラシステムは交換レンズユニット１０、Ｂ型中間リング２０ｂ及びカメラボディユニット３０で構成される。
【００６２】
ここで、Ｂ型中間リング２０ｂは、Ａ型中間リング２０ａを改良したバージョンアップ製品を意味する。
【００６３】
データ記憶部１６には、不図示の中間リング２０がない場合のピントずれ量−レンズ移動量変換係数データが格納されている。
【００６４】
Ｂ型中間リング２０ｂには、中間リングＣＰＵ２２と共に中間リング記憶部２３が設けられており、制御データとしてＢ型中間リング２０ｂが有る場合の焦点調節不能レンズ位置データ２３ａ、ピントずれ量−レンズ移動量変換係数データ２３ｂが格納されている。
【００６５】
そして、カメラＣＰＵ３６は、測距部４６からの例えば、ＴＴＬ位相差方式によるピントずれ量出力に対してピントずれ量−レンズ移動量変換係数データを用いて撮影レンズの焦点調節駆動量を求め、レンズＣＰＵ１５に送信する。
【００６６】
また、上記焦点調節不能レンズ位置データとレンズ位置を比較して、焦点調節不能レンズ位置にレンズが位置する場合は、撮影動作を禁止する。
【００６７】
なお、カメラＣＰＵ３６には、上述の２つの構成のバリエーションに対応できる処理機能を備えている。
【００６８】
図４に示すメインフローについて説明する。
【００６９】
カメラに電源が投入されると、カメラＣＰＵ３６によって本メインフローが開始される。
【００７０】
まず、カメラシステム起動時のシステム全体の初期設定を行う(ステップＳ１０)。次に、
交換レンズ、中間リングとの通信を行うサブルーチン「レンズ通信」を実行する(ステップＳ１１)。このレンズ通信の詳細な動作については、図４のフローチャートを参照して後述する。
【００７１】
そして、交換レンズ、中間リングとの通信を行い着脱を検出する(ステップＳ１２)。図示はしていないが、交換レンズが装着されていない場合は、以下に示す動作を行わないようにしている。
【００７２】
次に、カメラ操作ＳＷ（不図示）の状態を検出する(ステップＳ１３)。カメラ操作ＳＷに含まれるモード  変更ＳＷが操作されたかを判定する(ステップＳ１４)。このステップＳ１４において「ＹＥＳ」、つまり変更ＳＷが操作された場合には、操作されたＳＷに連動してカメラの動作モードが変更されたか否か判別する(ステップＳ１５)。そして、カメラ動作モードに応じた情報が、画像モニタ３７等の表示部へ表示出力される(ステップＳ１６)。その後、ステップＳ１２へ再び移行する。
【００７３】
例えば、ＡＦ／ＭＦ切換えＳＷ（不図示）を操作してＡＦモードからＭＦモードに切り換えると、撮影者が交換レンズ１０のピントリング（不図示）をマニュアルで操作してフォーカシングを行うＭＦ動作が可能となる。また、画像モニタ３７等の表示部の表示がＡＦからＭＦに切り換わる。
【００７４】
一方、ステップＳ１４において「ＮＯ」と判定された場合には、１ＳＴレリーズＳＷがオンされているかを判別する(ステップＳ１７)。このステップＳ１７において、「ＹＥＳ」と判定されると、測光回路４１により被写体輝度を測定し、ストロボ発光有無の判定やＴｖ値とＡｖ値の算出を行う(ステップＳ１８)。
【００７５】
次に、ＡＦ／ＭＦモードがＡＦモードか否か判別する(ステップＳ１９)。このステップＳ１９において「ＹＥＳ」と判定される、つまりＡＦモードであれば測距部４６を制御してピントズレ量を検出し、このピントズレ量に基づき、交換レンズ１０のレンズ駆動機構１３によるフォーカス駆動制御を行うサブルーチン「ＡＦ」が実行される(ステップＳ２０)。このサブルーチン「ＡＦ」の詳細な動作については、図６のフローチャートを参照して詳細に説明する。
【００７６】
次に、合焦か否か判別する(ステップＳ２１)。このステップＳ２１で「ＹＥＳ」と判定される、つまり合焦の場合はステップＳ２２に移行する。一方、このステップＳ２１で「ＮＯ」と判定される、合焦ではないつまり焦点検出不能かまたはＡＦ禁止レンズ位置の場合は、その内容を示す表示を画像モニタ３７等の表示部で行いステップＳ１２に移行する。
【００７７】
一方、ステップＳ１９で「ＮＯ」と判定される、つまりＭＦモードであればステップＳ２２に移行する。
【００７８】
このステップＳ２２において、２ｎｄレリーズＳＷが操作されたか否か判別する。このステップＳ２２において、「ＹＥＳ」と判定される、つまり２ｎｄレリーズＳＷがオンされていればステップＳ２３に移行する。一方、ステップＳ２２で「ＮＯ」と判定される、つまり２ｎｄレリーズＳＷがオンされていなければステップＳ１２に戻る。
【００７９】
ところで、ステップＳ２３において、撮影レンズ位置が焦点調節不能レンズ位置に該当するか否かを判別する。
【００８０】
このステップＳ２３において「ＹＥＳ」、つまり該当する場合は、撮影禁止であることを画像モニタ３７等の表示部で表示する(ステップＳ２４)。
【００８１】
一方、ステップＳ２３において「ＮＯ」と判定された場合、つまり焦点調節不能レンズ位置ではない場合にはステップＳ２５に移行する。
【００８２】
このステップＳ２５において、交換レンズ１０内の絞り駆動機構１４による絞り１２の制御を行う。
【００８３】
次に、クイックリターンミラー３２をミラー駆動機構４８により撮影時位置に駆動するミラーアップ制御を行う(ステップＳ２６)。
【００８４】
さらに、シャッタ３３の先幕を走行させてシャッタを開口する制御を行う(ステップＳ２７)。
【００８５】
そして、撮像素子３４の撮像動作（電荷蓄積動作）を行う(ステップＳ２８)。
【００８６】
次に、シャッタ３３の後幕を走行させてシャッタを閉じる制御を行う(ステップＳ２９)。
【００８７】
さらに、クイックリターンミラー３２をミラー駆動機構４８により撮影準備位置に駆動するミラーダウン制御、およびシャッターチャージ機構４７によるシャッタチャージ制御を行う(ステップＳ３０)。
【００８８】
そして、交換レンズ１０の絞り１２を開放する制御を行う(ステップＳ３１)。
【００８９】
次に、画像処理回路コントローラ３５によって、取得した画像データの画像メモリ３８への記録動作を行う(ステップＳ３２)。
【００９０】
以上でメインフローの動作を終了し、ステップＳ１２に移行して同様の動作を繰り返す。
【００９１】
次に、図５のフローチャートを参照して、カメラＣＰＵ３６が、レンズ情報を獲得するサブルーチン「レンズ通信」(ステップＳ１１)の動作について説明する。
【００９２】
このフローは、カメラボディユニット３０の電源がＯＮされたとき、または交換レンズユニット１０、中間リング２０が装着された時に開始する。カメラＣＰＵ３６は、交換レンズユニット１０からレンズ情報を受取るために、レンズ選択信号を出力する。つまり、  「ＬＳＥＬ」ラインの信号レベルをＬｏｗからＨｉｇｈに変化させる（ステップＳ４０）。そして、交換レンズユニット１０からの応答の有無をチェックする（ステップＳ４１）。ここで、通信が可能な状態にあれば、レンズＣＰＵ１５は、通信可能（ｒｅａｄｙ）状態にある旨の応答信号を返信する。
【００９３】
ステップＳ４１の判定で「ＮＯ」と判定、つまり交換レンズユニット１０からの応答が無い場合には、カメラＣＰＵ３６は、処理を終了する。
【００９４】
一方、ステップＳ４１の判定で「ＹＥＳ」、つまり交換レンズユニット１０からの応答が有る場合には、カメラＣＰＵ３６は、レンズ情報を要求する（ステップＳ４２）。つまり、「ＣＯＮＴ」ラインにレンズ情報要求命令を設定する。この要求信号に対応して、レンズＣＰＵ１５はデータ記憶部１６を検索してレンズ情報を抽出し、カメラＣＰＵ３６に送信する。この送信されるレンズ情報は、例えば、レンズ種類、開放ＦＮｏ、焦点調節不能レンズ位置データ、ＡＦ禁止レンズ位置データ、ピントずれ量−レンズ移動量変換係数等である。
【００９５】
カメラＣＰＵ３６は、これらの送信されるレンズ情報を読み込み、カメラ記憶部４０に記憶する（ステップＳ４３）。
【００９６】
次にカメラＣＰＵ３６は、中間リング２０から中間リング情報を受取るために、中間リング選択信号を出力する。つまり、「ＡＳＥＬ」ラインの信号レベルをＬｏｗからＨｉｇｈに変化させる（ステップＳ４４）。
【００９７】
そして、中間リング２０からの応答の有無をチェックする（ステップＳ４５）。通信が可能な状態にあれば、リングＣＰＵ２２は、通信可能（ｒｅａｄｙ）状態にある旨の応答信号を返信する。
【００９８】
ステップＳ４５の判定で「ＮＯ」、つまり中間リング２０からの応答が無い場合、カメラシステムは中間リングが装着されていない場合であり、カメラＣＰＵ３６は、処理を終了する。
【００９９】
一方、ステップＳ４５の判定で「ＹＥＳ」と判定、つまり中間リング２０からの応答が有る場合、カメラＣＰＵ３６は、その応答をチェックして中間リング種類を判別する（ステップＳ４６）。そして、カメラＣＰＵ３６は、中間リング種類がＢ型中間リングかどうかを調べる（ステップＳ４７）。
【０１００】
このステップＳ４７の判定で「ＮＯ」と判定、つまりＡ型中間リングの場合、カメラシステムは図２に示す構成であり、カメラＣＰＵ３６は、既に焦点調節不能レンズ位置データ、ＡＦ禁止レンズ位置データ、ピントずれ量−レンズ移動量変換係数データ等を取得しているため、処理を終了する。
【０１０１】
一方、ステップＳ４７の判定で「ＹＥＳ」、つまりＢ型中間リングである場合、カメラシステムは図３に示す構成であり、カメラＣＰＵ３６は、中間リング情報を要求する。「ＣＯＮＴ」ラインに中間リング情報要求命令を設定する。
【０１０２】
この要求信号に対応して、中間リングＣＰＵ２２は中間リング記憶部２３を検索して中間リング情報を抽出し、カメラＣＰＵ３６に送信する。
【０１０３】
送信される中間リング情報は、例えば、焦点調節不能レンズ位置データ、ＡＦ禁止レンズ位置データ、ピントずれ量−レンズ移動量変換係数等である。カメラＣＰＵ３６は、これらの送信された中間リング情報を読み込み、カメラ記憶部４０に記憶する（ステップＳ４８）。
【０１０４】
以上の手順により、カメラＣＰＵ３６は、上述のようにそれぞれの構成のバリエーションに対応した焦点調節不能レンズ位置データ、ＡＦ禁止レンズ位置データ、ピントずれ量−レンズ移動量変換係数データ等を取得し、そのデータをカメラ記憶部４０に記憶する。
【０１０５】
次に、図６のフローチャートを参照して、カメラＣＰＵ３６が、ＡＦ動作を行うサブルーチン「ＡＦ」(ステップＳ２０)の処理について説明する。
【０１０６】
まず、カメラＣＰＵ３６は、ＡＦセンサ４５に対して動作を開始させる指示を出力し、測距部４６は、ＡＦセンサ４５からセンサーデータを取り込んで撮影レンズ１１ａ、１１ｂのピントずれ量を演算する焦点検出を実行する（ステップＳ１００）。
【０１０７】
そして、ステップＳ１００で得られた焦点検出の結果に基づいて焦点検出不能か否か判別する（ステップＳ１０１）。
【０１０８】
このステップＳ１０１で「ＹＥＳ」と判定された場合、つまり検出不能の場合は、検出不能表示（ステップＳ１０２）を行って終了する。
【０１０９】
一方、ステップＳ１０１で「ＮＯ」、つまり焦点検出可能な場合は、ピントずれ量に基づいて合焦か否か判定する（ステップＳ１０３）。
【０１１０】
このステップＳ１０３の判定で「ＹＥＳ」と判定された場合、つまり合焦の場合は、合焦表示（ステップＳ１０４）を行って終了する。
【０１１１】
一方、ステップＳ１０３の判定で「ＮＯ」と判定された場合には、カメラＣＰＵ３６は、中間リング２０が接続されているかどうかを調べる（ステップＳ１０５）。
【０１１２】
このステップＳ１０５において「ＮＯ」と判定された場合、つまり中間リング２０が接続されていない場合には、カメラＣＰＵ３６は測距部４６からのピントずれ量に対して、データ記憶部１６から読み出した中間リング２０がない場合のピントずれ量−レンズ移動量変換係数を採用する（ステップＳ１０６）。
【０１１３】
一方、ステップＳ１０５において「ＹＥＳ」と判定された場合、つまり中間リング２０が接続されている場合には、カメラＣＰＵ３６はカメラ記憶部４０を検索して中間リング種類を判別し、その中間リング種類がＢ型中間リングかどうかを調べる（ステップＳ１０７）。
【０１１４】
このステップＳ１０７において「ＮＯ」と判定された場合、つまりＡ型中間リングの場合には、カメラシステムは図２に示す構成であり、カメラＣＰＵ３６は、データ記憶部１６より読み出したＡＦ禁止レンズ位置、ピントずれ量−レンズ移動量変換係数を採用する（ステップＳ１０８）。
【０１１５】
一方、ステップＳ１０７において「ＹＥＳ」と判定された場合、つまりＢ型中間リングである場合、カメラシステムは図３に示す構成であり、カメラＣＰＵ３６は、中間リング部２３より読み出したＡＦ禁止レンズ位置、ピントずれ量−レンズ移動量変換係数を採用する（ステップＳ１０９）。
【０１１６】
そして、カメラＣＰＵ３６は、現在のレンズ位置がＡＦ禁止レンズ位置に含まれるか否か判定する（ステップＳ１１０）。このステップＳ１１０において「ＹＥＳ」と判定された場合、つまり含まれている場合はＡＦ不能表示を行い（ステップＳ１１１）終了する。
【０１１７】
一方、ステップＳ１１０において「ＮＯ」と判定された場合には、カメラＣＰＵ３６は、ピントずれ量に対して、ピントずれ量−レンズ移動量変換係数を用いて演算を行い、合焦とするためのレンズ駆動量を求める（Ｓ１１２）。
【０１１８】
この計算式の１例を下記に示す。
【０１１９】
レンズ駆動量＝ピントずれ量×(ピントずれ量−レンズ移動量変換係数)
図８は、ピントずれ量とそれを解消して合焦とするためのレンズ駆動量の関係を１例を示すグラフである。
【０１２０】
このグラフの傾きがピントずれ量−レンズ移動量変換係数となる。
【０１２１】
図８において、Ａは変換レンズのみがカメラ本体に装着された状態つまり中間リングなしでの特性を示し、Ｂは変換レンズに加えて中間リングを装着した状態の特性を示している。
【０１２２】
このように中間リングを使用する際は、この例では同一のピントずれ量に対して、レンズ駆動量を大きくしなければ合焦させることができない、つまりピントずれ量−レンズ移動量変換係数を大きくする補正が必要となる。
【０１２３】
そして、カメラＣＰＵ３６は、上述の手順で算出したレンズ駆動量、およびレンズ駆動方向をレンズＣＰＵ１５に送信し（ステップＳ１１３）、レンズＣＰＵ１５は、この値に基づいて撮影レンズ１１ａ、１１ｂを移動してフォーカシング動作を行う。
【０１２４】
レンズ駆動の終了後、レンズＣＰＵ１５から、通信されるのを待ち（ステップＳ１１４）、レンズ駆動が終了するとＳ１１０に移行する。
【０１２５】
図７は、画像モニタ３７等の表示部による表示の例を示した図である。
【０１２６】
図７（Ａ）に示した表示１は、図４のステップＳ２４の焦点調節不能レンズ位置での撮影禁止状態を示す表示で、比較的遅い周期で点滅する。
【０１２７】
図７（Ｂ），（Ｃ）にそれぞれ示した表示２、３は、ＭＦ（マニュアルフォーカス）モードにおける、前ピン表示、後ピン表示、を示す。
【０１２８】
図７（Ｄ）に示した表示４は、図６のステップＳ１０４のＡＦ、ＭＦモードにおける合焦状態を示す表示である。
【０１２９】
図７（Ｅ）に示した表示５は、図６のステップＳ１０２、Ｓ１１１の焦点検出不能状態を示す表示で、比較的早い周期で点滅する。
【０１３０】
次に、図９を参照して交換レンズ１０内のデータ記憶部１６のデータ内容について説明する。なお、図９は、本発明に関連する部分のみを示している。
【０１３１】
図９に示すように、交換レンズは、焦点距離を可変なズームレンズとしており、所定ルールで分割された焦点距離ｆ１、ｆ２…ｆｎ毎にデータを有する。分割の中間の焦点距離に対応するデータは、たとえば補間して求めることができる。
【０１３２】
交換レンズが単焦点レンズの場合は、焦点距離は１点のみのデータとなる。
【０１３３】
中間リングが装着されていない場合のピントずれ量−レンズ移動量変換係数は、Ｚ１、Ｚ２…Ｚｎである。
【０１３４】
中間リングＡが装着されている場合のデータとしては、ＡＦ禁止レンズ位置データ、焦点調節不能レンズ位置データ、ピントずれ量−レンズ移動量変換係数が含まれている。
【０１３５】
ＡＦ禁止レンズ位置データ、焦点調節不能レンズ位置データはそれぞれ至近側と無限側の２種類のデータからなり、これらの至近側データから無限側データの範囲がそれぞれＡＦ禁止レンズ位置、焦点調節不能レンズ位置を示している。
【０１３６】
例えば、焦点距離ｆ１の場合は、Ａ１〜Ｂ１がＡＦ禁止レンズ位置を、Ｃ１〜Ｄ１が焦点調節不能レンズ位置を示す。Ａ１、Ｂ１、Ｃ１、Ｄ１等の数値は、たとえばレンズ位置を示すパルス数単位となっている。
【０１３７】
ＡＦ禁止レンズ位置、焦点調節不能レンズ位置が存在しない場合は、たとえば０が書き込まれる。
【０１３８】
ＡＦ禁止レンズ位置データは、交換レンズと中間リングＡの合成ＦＮＯにより焦点検出光束をけることで焦点検出が不能となるレンズ位置を示すものである。
【０１３９】
このように所定のレンズ位置データを予め記憶しているので、複雑な計算を行う必要がなく回路が簡素化できる長所を有する。
【０１４０】
さらに、図１０を参照して中間リング２０内の中間リングデータ記憶部２３のデータ内容について説明する。なお、図１０は、本発明に関連する部分のみを示している。
【０１４１】
図１０に示すように、交換レンズは、焦点距離を可変なズームレンズとしており、所定ルールで分割された焦点距離ｆ１、ｆ２…ｆｎ毎にデータを有する。
【０１４２】
中間リングＢが装着されている場合のデータとして、ＡＦ禁止レンズ位置データ、焦点調節不能レンズ位置データ、ピントずれ量−レンズ移動量変換係数が含まれている。
【０１４３】
ＡＦ禁止レンズ位置データ、焦点調節不能レンズ位置データはそれぞれ至近側と無限側の２種類のデータからなり、これらの至近側データから無限側データの範囲が禁止レンズ位置を示している。
【０１４４】
さらに、装着される交換レンズ１０の種類に対応するために、交換レンズ毎（交換レンズＡ，Ｂ）に上記のデータを有している。
【０１４５】
図１１は、中間リング２０内の中間リングデータ記憶部２３のデータ内容の変形例であり、図１０と異なる部分だけを示す。
【０１４６】
図１１において、ピントずれ量−レンズ移動量変換係数αは、交換レンズ１０のデータ記憶部１６内の中間リング無のピントずれ量−レンズ移動量変換係数Ｚを補正するための補正係数である。
【０１４７】
従ってレンズ駆動量の計算式は、以下となる。
【０１４８】
レンズ駆動量＝ピントずれ量×（ピントずれ量−レンズ移動量変換係数Ｚ）×（ピントずれ量−レンズ移動量変換係数α）
このような形式とすることによりデータ容量を削減して、データ記憶部２３を形成する具体的なメモリ素子等を安価なものにすることができる。
【０１４９】
なお、ピントずれ量−レンズ移動量変換係数αは、交換レンズ１０のデータ記憶部１６内の中間リングＡのピントずれ量−レンズ移動量変換係数Ｅを補正するための補正係数としてもよい。
【０１５０】
なお、本発明は上記した実施の形態に限定されるものではなく、本発明の要旨の範囲内で種々の変形及び応用が可能であることは勿論である。
【０１５１】
さらに、上述した実施形態には種々の段階の発明が含まれており、開示される複数の構成要件の適当な組み合わせにより種々の発明が抽出され得る。例えば、実施形態に示される全構成要件からいくつかの構成要件を削除した場合であっても、発明が解決しようとする課題の欄で述べた課題が解決でき、発明の効果の欄で述べた効果を得ることができる場合には、当該構成要件が削除された構成も発明として抽出され得る。
【図面の簡単な説明】
【０１５２】
【図１】本発明に係るカメラシステムの標準的な構成を示すブロック図。
【図２】同カメラシステムの第１のバリエーションの構成を示す図。
【図３】同カメラシステムの第２のバリエーションの構成を示す図
【図４】同カメラシステムのメインフローを示す図。
【図５】同カメラシステムのレンズ通信処理を示すフローチャート。
【図６】同カメラシステムのＡＦ動作を行うサブルーチン「ＡＦ」の概略を示すフローチャート。
【図７】同カメラシステムの表示部の表示状態を示す図。
【図８】同カメラシステムのピントずれ量とそれを解消して合焦とするためのレンズ駆動量の関係を１例を示すグラフ。
【図９】同カメラシステム交換のレンズ内のデータ記憶部のデータ内容を示す図。
【図１０】同カメラトステムの中間リング内の中間リングデータ記憶部のデータ内容を示す図。
【図１１】同カメラシステムの中間リング内の中間リングデータ記憶部のデータ内容の変形例を示す図。
【図１２】交換レンズ、中間リングをカメラ本体に装着した時に、所定の被写体に合焦している状態を示す図。
【符号の説明】
【０１５３】
１０…交換レンズユニット、１５…レンズＣＰＵ、１６…データ記憶部、２０…中間リング、２２…中間リングＣＰＵ、２３…中間リング記憶部、３０…カメラボディユニット、
３６…カメラＣＰＵ、４０…カメラ記憶部。
【図１】
2007017622.tif 000003
【図２】
2007017622.tif 000004
【図３】
2007017622.tif 000005
【図４】
2007017622.tif 000006
【図５】
2007017622.tif 000007
【図６】
2007017622.tif 000008
【図７】
2007017622.tif 000009
【図８】
2007017622.tif 000010
【図９】
2007017622.tif 000011
【図１０】
2007017622.tif 000012
【図１１】
2007017622.tif 000013
【図１２】
2007017622.tif 000014